(57)【要約】【課題】使用性に優れた掃除機用吸込具を提供する。【解決手段】塵埃を吸入するための吸入口１ａを有する大ノズル１と、塵埃を吸入するための吸入口Ａ２ａを有し、前記大ノズル１に着脱可能な小ノズル２を備え、前記大ノズル１の略後方に、下方に押すことで前記小ノズル２との着脱を解除するためのペダル５を設けたもので、前記大ノズル１から前記小ノズル２を外して使用する際は、前記大ノズル１の後方の前記ペダル５を踏むだけで前記小ノズル２を外すことができ、使用性に優れた掃除機用吸込具を提供することができる。【選択図】図１
2011182953.tif 000002
【特許請求の範囲】
【請求項１】
塵埃を吸入するための吸入口を有する大ノズルと、塵埃を吸入するための吸入口Ａを有し、前記大ノズルに着脱可能な小ノズルを備え、前記大ノズルの略後方に、下方に押すことで前記小ノズルとの着脱を解除するためのペダルを設けた掃除機用吸込具。
【請求項２】
ペダルを押して、小ノズルを大ノズルから外した際に、前記大ノズルが倒れるのを防止するためのスタンドを突出させて形成した請求項１に記載の掃除機用吸込具。
【請求項３】
ペダルを押して、小ノズルを大ノズルから外した際に、前記大ノズルが床面上で滑るのを防止するためのストッパーを突出させて形成した請求項１または２に記載の掃除機用吸込具。
【請求項４】
ストッパーをスタンドに一体に形成した請求項３に記載の掃除機用吸込具。
【請求項５】
スタンドまたは／及びストッパーをペダルに一体に形成した請求項１〜４のいずれか１項に記載の掃除機用吸込具。
【請求項６】
ペダルを大ノズルに一体に形成した請求項１〜５のいずれか１項に記載の掃除機用吸込具。
【請求項７】
請求項１〜６のいずれか１項に記載の掃除機用吸込具を備えた電気掃除機。
【発明の詳細な説明】
【技術分野】
【０００１】
本発明は、一般家庭で使用される掃除機用吸込具及びそれを用いた電気掃除機に関するものである。
【背景技術】
【０００２】
従来の掃除機用吸込具として、図５に示されるようなものがあった（例えば、特許文献１参照）。
【０００３】
図５は、上記特許文献１に記載された従来の掃除機用吸込具の側面図である。
【０００４】
図５において、従来の掃除機用吸込具は、塵埃を吸入するための吸入口８ａを有する大ノズル８と、塵埃を吸入するための吸入口９ａを有し、前記大ノズル８に着脱可能である小ノズル９を備えおり、前記大ノズル８を前記小ノズル９に差し込んだ際に、前記大ノズルに設けた溝部１０が、前記小ノズル９に設けた凸部１１に嵌合することで、前記大ノズル８と前記小ノズル９の固定ができるようになっている。
【先行技術文献】
【特許文献】
【０００５】
【特許文献１】特開２００１−２９９６５１号公報
【発明の概要】
【発明が解決しようとする課題】
【０００６】
しかしながら上記従来の掃除機用吸込具の構成では、前記大ノズル８から前記小ノズル９を外して使用する際は、前記大ノズル８を持った状態で前記小ノズル９を強く引っ張る必要があり、力の弱い女性には負担が大きく手間がかかるといった課題があった。
【０００７】
本発明は、上記従来の課題を解決するもので、使用性に優れた掃除機用吸込具及び電気掃除機を提供することを目的としている。
【課題を解決するための手段】
【０００８】
上記従来の課題を解決するために本発明の掃除機用吸込具は、塵埃を吸入するための吸入口を有する大ノズルと、塵埃を吸入するための吸入口Ａを有し、前記大ノズルに着脱可能な小ノズルを備え、前記大ノズルの略後方に、下方に押すことで前記小ノズルとの着脱を解除するためのペダルを設けたもので、前記大ノズルから前記小ノズルを外して使用する際は、前記大ノズルの後方の前記ペダルを踏むだけで前記小ノズルを外すことができ、使用性に優れた掃除機用吸込具を提供することができる。
【０００９】
また、本発明の電気掃除機は、請求項１〜６のいずれか１項に記載の掃除機用吸込具を備えたもので、使用性に優れた電気掃除機を提供することができる。
【発明の効果】
【００１０】
本発明の掃除機用吸込具及び電気掃除機は、非常に使用性に優れたものである。
【図面の簡単な説明】
【００１１】
【図１】本発明の実施の形態１における掃除機用吸込具の断面図
【図２】同掃除機用吸込具の断面図（小ノズル取り外し時）
【図３】同掃除機用吸込具の大ノズルの断面図
【図４】同大ノズルの平面図
【図５】従来の掃除機用吸込具の側面図
【発明を実施するための形態】
【００１２】
第１の発明は、塵埃を吸入するための吸入口を有する大ノズルと、塵埃を吸入するための吸入口Ａを有し、前記大ノズルに着脱可能な小ノズルを備え、前記大ノズルの略後方に、下方に押すことで前記小ノズルとの着脱を解除するためのペダルを設けたもので、前記大ノズルから前記小ノズルを外して使用する際は、前記大ノズルの後方の前記ペダルを踏むだけで前記小ノズルを外すことができ、使用性に優れた掃除機用吸込具を提供することができる。
【００１３】
第２の発明は、特に、第１の発明のペダルを押して、小ノズルを大ノズルから外した際に、前記大ノズルが倒れるのを防止するためのスタンドを突出させて形成したもので、前記小ノズルを再度前記大ノズルに取り付ける際に、前記大ノズルが倒れないように手で支えながら行うといった手間をかける必要がなくなり、使用性に優れた掃除機用吸込具を提供することができる。
【００１４】
第３の発明は、特に、第１又は第２の発明のペダルを押して、小ノズルを大ノズルから外した際に、前記大ノズルが床面上で滑るのを防止するためのストッパーを突出させて形成したもので、前記小ノズルを再度前記大ノズルに取り付ける際に、滑らないように前記大ノズルを手で支えながら行うといった手間をかける必要がなくなり、  使用性に優れた掃除機用吸込具を提供することができる。
【００１５】
第４の発明は、特に、第３の発明のストッパーをスタンドに一体に形成したもので、部品点数を削減することができるため、コスト性に優れた掃除機用吸込具を提供することができる。
【００１６】
第５の発明は、特に、第１〜４のいずれか一つの発明のスタンドまたは／及びストッパーをペダルに一体に形成したもので、部品点数を削減することができるため、コスト性に優れた掃除機用吸込具を提供することができる。
【００１７】
第６の発明は、特に、第１〜５のいずれか一つの発明のペダルを大ノズルに一体に形成したもので、部品点数を削減することができるため、コスト性に優れた掃除機用吸込具を提供することができる。
【００１８】
第７の発明に係る電気掃除機は、請求項１〜６のいずれか１項に記載の掃除機用吸込具を備えたもので、使用性に優れた電気掃除機を提供することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における掃除機用吸込具の断面図、図２は、同掃除機用吸込具の断面図（小ノズル取り外し時）、図３は、同掃除機用吸込具の大ノズルの断面図、図４は、同大ノズルの平面図である。
【００２１】
図１〜図４において、１は、塵埃を吸入するための吸入口１ａを有する大ノズル、２は、塵埃を吸入するための吸入口Ａ２ａを有すると共に、前記大ノズル１に着脱可能な小ノズルである。
【００２２】
前記大ノズル１の後方には、前記小ノズル２に設けた突起部３を引掛けることで、前記大ノズル１と前記小ノズル２間の固定を行う爪部４を備えたペダル５を設けている。
【００２３】
図２に示すように、前記ペダル５を下方に押すことで、前記爪部４と前記突起部３間の固定が解除され、前記小ノズル２を前記大ノズル１から開放することが出来るようになっている。
【００２４】
また、図３または図４に示すように、前記小ノズル２が前記大ノズル１から開放されたときは、前記小ノズル２により付勢されていた前記ペダル５は後方に倒れ、前記ペダル５の後部に形成され前記大ノズル１を安定化させるためのスタンド６および、前記ペダル５の下部に形成され前記大ノズル１が滑るのを防止するためのストッパー７が、前記大ノズル１の下方に突出し、床面に接地するようになっている。
【００２５】
これらスタンド６およびストッパー７は、前記小ノズル２が再度前記大ノズル１に取りつけられた際には、図１に示すように、前記ペダル５とともに床面を離れて上方へ移動する。
【００２６】
以上のように構成された本実施の形態における掃除機用吸込具について、以下その動作、作用を説明する。
【００２７】
まず、塵埃を吸引する際には、図示しない電気掃除機の吸引口或いは、その吸引口にホースを介して接続された延長管の端部に前記小ノズル２を接続し、さらにその小ノズル２を大ノズル１に取り付け、吸引を行う。この際、床面の塵埃は、前記大ノズル１の吸入口１ａから吸引されて電気掃除機へ移動する。また、小ノズル２を大ノズル１につけずに、狭い隙間などを掃除するときは、床面の塵埃は、小ノズル２の吸入口Ａ２ａから吸引されて電気掃除機へ移動する。また、小ノズル２を大ノズル１から外すときは、ペダル５を踏むだけで簡単にできる。
【００２８】
以上のように、本実施の形態においては、前記大ノズル１の後方のペダル５を踏むだけで前記小ノズル２を外すことができ、使用性に優れた掃除機用吸込具を提供することができる。
【００２９】
また、図２〜図４に示すように、前記小ノズル２を外した際に、前記大ノズル１が倒れるのを防止するための幅広のスタンド６を接地させることにより、前記小ノズル２を再度前記大ノズル１に取り付ける際に、前記大ノズル１が倒れないように手で支えながら行うといった手間をかける必要がなくなり、使用性に優れた掃除機用吸込具を提供することができる。
【００３０】
また、前記小ノズル２を外した際に、前記大ノズル１が床面で滑るのを防止するためのストッパー７を床面に接地させることにより、前記小ノズル２を再度前記大ノズル１に取り付ける際に、滑らないように前記大ノズル１を手で支えながら行うといった手間をかける必要がなくなり、使用性に優れた掃除機用吸込具を提供することができる。
【００３１】
また、前記ペダル５に、前記スタンド６および前記ストッパー７を一体形成することにより、部品点数を削減することができるため、コスト性に優れた掃除機用吸込具を提供することができる。
【００３２】
また、前記大ノズル１に前記ペダル５を一体形成したことにより、部品点数を削減することができるため、コスト性に優れた掃除機用吸込具を提供することができる。
【００３３】
また、上記実施の形態における掃除機用吸込具を電気掃除機に備えれば、使用性に優れた電気掃除機を提供することができる。
【産業上の利用可能性】
【００３４】
以上のように、本発明にかかる掃除機用吸込具及び電気掃除機は、使用性およびコスト性に優れ、極めて有用なものである。
【符号の説明】
【００３５】
１  大ノズル
１ａ  吸入口
２  小ノズル
２ａ  吸入口Ａ
５  ペダル
【図１】
2011182953.tif 000003
【図２】
2011182953.tif 000004
【図３】
2011182953.tif 000005
【図４】
2011182953.tif 000006
【図５】
2011182953.tif 000007